(57)【要約】【課題】  アナログ／デジタル混在放送に対し高速かつ的確に適切な受信方式を選択する受信装置を得る。【解決手段】  アナログ又はデジタルの受信方式で受信を行なう受信手段３、４と、受信したデジタル放送の周波数を記載したデジタル放送テーブルを記憶する記憶手段６とを受信装置１に設け、選局された周波数がデジタル放送テーブルに記載されている場合、受信手段３、４にデジタル復調を指示するとともに正常にデジタル復調できているか問い合わせ、正常にデジタル復調を行えていないときはデジタル放送テーブルから当該周波数の記載を削除し、選局された周波数がデジタル放送テーブルに記載されていない場合、受信手段３、４に対しアナログ復調を指示すると共にユーザに対し正常に音声再生できているか問い合わせ、正常に音声が再生できていないときはデジタル復調へ変更するようにした。【選択図】        図２
2006042048.tif 000002
【特許請求の範囲】
【請求項１】
アナログ復調又はデジタル復調の一方の受信方式を選択して受信可能な受信手段と、
上記受信手段によって受信したデジタル放送の周波数を記載したデジタル放送テーブルを記憶する記憶手段と、
選局された周波数及び上記デジタル放送テーブルの記載に応じて、上記受信手段による受信方式を制御する受信方式制御手段と
を具え、
上記受信方式制御手段は、
選局された周波数が上記デジタル放送テーブルに記載されている場合、上記受信手段に対してデジタル復調を指示するとともに、当該受信手段に対して正常にデジタル復調できているかを問い合わせ、正常にデジタル復調を行えていないときは、上記デジタル放送テーブルから当該周波数の記載を削除し、
選局された周波数が上記デジタル放送テーブルに記載されていない場合、上記受信手段に対してアナログ復調を指示するとともに、ユーザに対し正常に音声が再生できているかを問い合わせ、正常に音声が再生できていないときは上記受信手段に対しデジタル復調への変更を指示する
ことを特徴とする受信装置。
【請求項２】
上記受信方式制御手段は、
アナログ復調によって正常に音声が再生できていないことによりデジタル復調への変更を指示したとき、上記受信手段に対して正常にデジタル復調できているかを問い合わせ、正常にデジタル復調を行えているときは上記選局された周波数を上記デジタル放送テーブルに記載する
ことを特徴とする請求項１に記載の受信装置。
【請求項３】
選局された周波数に対してアナログ復調又はデジタル復調の一方の受信方式を選択して受信する受信方法において、
選局された周波数が、過去に受信したデジタル放送の周波数を記載したデジタル放送テーブルに記載されているかを参照し、
選局された周波数が上記デジタル放送テーブルに記載されている場合、受信手段に対してデジタル復調を指示するとともに、当該受信手段に対して正常にデジタル復調できているかを問い合わせ、正常にデジタル復調を行えていないときは、上記デジタル放送テーブルから当該周波数の記載を削除し、
選局された周波数が上記デジタル放送テーブルに記載されていない場合、上記受信手段に対してアナログ復調を指示するとともに、ユーザに対し正常に音声が再生できているかを問い合わせ、正常に音声が再生できていないときは上記受信手段に対しデジタル復調への変更を指示する
ことを特徴とする受信方法。
【請求項４】
アナログ復調によって正常に音声が再生できていないことによりデジタル復調への変更を指示したとき、上記受信手段に対して正常にデジタル復調できているかを問い合わせ、正常にデジタル復調を行えているときは上記選局された周波数を上記デジタル放送テーブルに記載する
ことを特徴とする請求項３に記載の受信方法。
【発明の詳細な説明】
【技術分野】
【０００１】
本発明は受信装置及び受信方法に関し、例えばアナログ放送とデジタル放送の双方を受信可能なラジオ受信機に適用して好適なものである。
【背景技術】
【０００２】
従来のアナログラジオ放送やアナログテレビジョン放送は、放送される周波数帯（バンド）が各国において定められている。これに対して新規にサービスを開始するデジタルラジオ放送やデジタルテレビジョン放送は、従来のアナログ放送とは異なる周波数帯が使用されるのが通例であった。
【０００３】
しかし、世界的に未使用の周波数帯が減ってきていることから、新規にサービスを開始されるデジタル放送であっても、既存のアナログ放送と同一の周波数帯を用いる放送が始まっている。このようなアナログ／デジタル混在放送の例としては、アメリカのＡＭ（Amplitude Modulation）／ＦＭ（Frequency Modulation）放送のデジタル方式であるＩＢＯＣ（In Band On Channel）方式や、欧州のＡＭ放送のデジタル方式であるＤＲＭ（Digital Radio Mondiale）方式がある。そして、このようなアナログ／デジタル混在放送を受信するための、アナログ／デジタル両用受信機が提案されている（例えば、特許文献１参照）。
【特許文献１】特開２００２−３０００５７公報
【発明の開示】
【発明が解決しようとする課題】
【０００４】
ここで、従来のアナログ放送では周波数帯毎に変調方式が定められているため、アナログ専用受信機は受信しようとする周波数帯（例えば、ＳＷ（Short Wave）、ＭＷ（Middle Wave）等）に応じて復調方式を一律に決定することができる。
【０００５】
これに対し、上述したようなアナログ／デジタル混在放送では同一周波数帯内にアナログ放送とデジタル放送とが混在しているため、受信周波数帯からは復調方式を決定することができない。
【０００６】
従って、例えばアナログ／デジタル両用受信機は受信時において、まず受信した放送波がデジタル放送であると仮定してデジタル復調を行い、当該放送波を正常にデジタル復調できなかった場合、当該放送波はアナログ放送であるとしてアナログ復調を行う。このためデジタル／アナログ両用受信機は、選局してから音声や映像が出力されるまで時間がかかってしまうという問題があった。
【０００７】
また、一度受信した放送局についてはその周波数と放送方式を対応付けて記憶しておけば、次回からは予め復調方式を決定して受信できるものの、上述したようなデジタル／アナログ混在放送では既存のアナログ放送局がデジタル放送に変更したり、新規のデジタル放送局が開業することもあるため、全ての放送局の放送方式を把握しておくのは困難であるという問題があった。
【０００８】
本発明は以上の点を考慮してなされたもので、簡易な構成で、アナログ／デジタル混在放送について高速かつ的確に適切な受信方式を選択して放送を受信し得る受信装置を提案しようとするものである。
【課題を解決するための手段】
【０００９】
かかる課題を解決するため本発明においては、アナログ復調又はデジタル復調の一方の受信方式を選択して受信可能な受信手段と、受信手段によって受信したデジタル放送の周波数を記載したデジタル放送テーブルを記憶する記憶手段と、選局された周波数及びデジタル放送テーブルの記載に応じて受信手段による受信方式を制御する受信方式制御手段とを受信装置に設け、受信方式制御手段は、選局された周波数がデジタル放送テーブルに記載されている場合、受信手段に対してデジタル復調を指示するとともに当該受信手段に対して正常にデジタル復調できているかを問い合わせ、正常にデジタル復調を行えていないときはデジタル放送テーブルから当該周波数の記載を削除し、選局された周波数がデジタル放送テーブルに記載されていない場合、受信手段に対してアナログ復調を指示するとともにユーザに対し正常に音声が再生できているかを問い合わせ、正常に音声が再生できていないときは受信手段に対しデジタル復調への変更を指示するようにした。
【００１０】
さらに受信方式制御手段は、アナログ復調によって正常に音声が再生できていないことによりデジタル復調への変更を指示したとき、受信手段に対して正常にデジタル復調できているかを問い合わせ、正常にデジタル復調を行えているときは選局された周波数をデジタル放送テーブルに記載するようにした。
【００１１】
このようにデジタル放送テーブルに基づいて受信方式を選択することにより、選局してから音声が出力されるまで時間を最低限に短縮し得るとともに、デジタル復調の復調結果やユーザによる再生音声の判別に基づいて、当該デジタル放送テーブルを更新していくことにより、既知及び未知の放送に対し適切な受信方式を選択して放送を受信することができる。
【発明の効果】
【００１２】
本発明によれば、デジタル放送テーブルに基づいて受信方式を選択することにより、選局してから音声が出力されるまで時間を最低限に短縮し得るとともに、デジタル復調の復調結果やユーザによる再生音声の判別に基づいて、当該デジタル放送テーブルを更新していくことにより、既知及び未知の放送に対し適切な受信方式を選択して放送を受信し得る受信装置を実現することができる。
【発明を実施するための最良の形態】
【００１３】
以下、図面について、本発明の一実施の形態を詳述する。
【００１４】
図１において、１は全体として本発明によるアナログ／デジタル両用のラジオ受信機１を示し、同一周波数帯内にアナログ放送とデジタル放送とが混在している場合でも、適宜受信方式を選択して受信を行うようになされている。
【００１５】
ラジオ受信機１は、装置全体を統括的に制御するＣＰＵ２に対し、ＲＦ（Radio Frequency)復調部３、ベースバンド復調部４、メモリ６，表示部７及び操作部８が接続されて構成される。ＣＰＵ２は、操作部８を介して入力された操作に応じてＲＦ復調部３を制御する。受信手段としてのＲＦ復調部３は、ＣＰＵ２から指定された周波数の放送波をアンテナ９を介して受信し、これを復調して中間周波数信号をベースバンド復調部４に供給する。
【００１６】
受信手段としてのベースバンド復調部４は、従来のアナログ方法を復調するためのアナログ復調部１１と、デジタル放送を復調するためのデジタル復調部１２とで構成される。ベースバンド復調部４はＣＰＵ２からの指示に応じて中間周波数信号をアナログ又はデジタル復調処理して音声信号を生成し、スピーカ１０を介して出力する。
【００１７】
ここでラジオ受信機１は、ユーザによって入力された周波数やユーザによってプリセットされているプリセット周波数を選局する直接選局モードと、指定された周波数帯内を順次選局して放送が行われている周波数を受信するバンドスキャンモードの２つの選局モードで選局を行い得るようになされている。
【００１８】
そしてこのラジオ受信機１は、ユーザが最初に電源を投入して起動された際、まず最初にバンドスキャンを実行し、このとき受信したデジタル放送の周波数及びその変調パラメータを、記憶手段としてのメモリ６内のデジタル放送テーブルに記録する。メモリ６は不揮発性メモリでなり、プリセット周波数を記憶したプリセットテーブルと、上述したデジタル放送テーブルとを格納している。
【００１９】
ＣＰＵ２は、選局の都度デジタル放送テーブルを参照し、選局された周波数がデジタル放送テーブルに記載されている場合、ベースバンド復調部４に対してデジタル復調処理を行うように指示するのに対し、選局された周波数がデジタル放送テーブルに記載されていない場合、ベースバンド復調部４に対してアナログ復調処理を行うように指示することにより、既知の周波数を受信する際の音声出力時間を短縮するようになされている。
【００２０】
ここでデジタル／アナログ混在放送では、既存のアナログ放送局がデジタル放送に変更されたり、新規のデジタル放送局が開業したりすることから、デジタル放送テーブルに記憶されているデジタル放送の周波数情報が常に正確であるとは限らないという問題がある。
【００２１】
このため受信方式制御手段としてのＣＰＵ２は、以下に述べる受信方式制御処理手順を実行することにより、既知及び未知の放送に対して適切な受信方法を選択しながら、デジタル放送テーブルを最新の状態に更新していくようになされている。
【００２２】
すなわちＣＰＵ２はラジオ受信機１が起動されると、図２に示す受信方式制御処理手順ルーチンＲＴ１の開始ステップから入ってステップＳＰ１に移り、周波数が選局されると次のステップＳＰ２に移る。ステップＳＰ２においてＣＰＵ２は、メモリ６に格納されているデジタル放送テーブルを参照し、選局された周波数が当該デジタル放送テーブルに記載されているかを検索する。
【００２３】
ステップＳＰ３において、選局された周波数がデジタル放送テーブルに記載されていた場合、ＣＰＵ２はステップＳＰ４に移り、ベースバンド復調部４に対してデジタル復調処理を行うように指示した後、次のステップＳＰ５において、ベースバンド復調部４に対し正常にデジタル復調処理が行えたかを問い合わせる。
【００２４】
ステップＳＰ５において肯定結果が得られた場合、このことは選局中の周波数がデジタル放送であり、当該周波数についてのデジタル放送テーブルの記載が正しいことを表しており、このときＣＰＵ２はステップＳＰ１に戻って新たな選局を待ち受ける。
【００２５】
これに対して、ステップＳＰ５において否定結果が得られた場合、このことは選局中の周波数がデジタル放送ではなく、当該周波数についてのデジタル放送テーブルの記載が間違っていることを表しており、このときＣＰＵ２はステップＳＰ６に移り、当該周波数についての記載をデジタル放送テーブルから削除した後、ステップＳＰ７に移ってベースバンド復調部４に対しアナログ復調処理を行うように指示した後、ステップＳＰ１に戻って新たな選局を待ち受ける。
【００２６】
一方ステップＳＰ３において、選局された周波数がデジタル放送テーブルに記載されていない場合、ＣＰＵ２はステップＳＰ８に移り、ベースバンド復調部４に対してアナログ復調処理を行うように指示した後、次のステップＳＰ９に移る。
【００２７】
ここで、アナログ放送はデジタル放送と異なり、正常にアナログ復調処理が行えているか（すなわち音声が再生できているか）を機械的に判定することは困難であり、このため当該周波数がアナログ放送であるか否かをラジオ受信機１自身が判断することはできない。
【００２８】
このためＣＰＵ２はステップＳＰ９において、例えば「音声は再生できていますか？再生できていない場合はデジタル切換ボタンを押してみてください」といった、デジタル復調処理への変更を促すメッセージを表示部７に所定の待受時間（例えば３０秒）の間表示するとともに、操作部８のデジタル切換ボタン（図示せず）に対する押下操作を待ち受ける。この状態でユーザは、スピーカ１０から正常に音声が再生されていない場合、当該デジタル切換ボタンを押下することにより受信方法をデジタルに切り換えてみることができる。
【００２９】
すなわちステップＳＰ１０において、待受時間の間にデジタル切換ボタンが押下されなかった場合、このことはアナログ復調処理によって正常に音声が再生されており、選局された周波数がアナログ放送であることを表しており、このときＣＰＵ２は、デジタル放送テーブルの記載を変更することなくアナログ復調を続け、ステップＳＰ１に戻って新たな選局を待ち受ける。
【００３０】
これに対してステップＳＰ１０において、待受時間の間にデジタル切換ボタンが押下された場合、このことはアナログ復調処理によって正常に音声が再生できておらず、選局された周波数がデジタル放送である可能性があることを表しており、このときＣＰＵ２はステップＳＰ１１に移り、ベースバンド復調部４に対しデジタル復調処理を行うように指示した後、次のステップＳＰ１２において、ベースバンド復調部４に対し正常にデジタル復調処理が行えたかを問い合わせる。
【００３１】
ステップＳＰ１２において肯定結果が得られた場合、このことは選局中の周波数がデジタル放送であり、当該周波数において新たにデジタル放送が開始されたことを表しており、このときＣＰＵ２はステップＳＰ１３に移り、当該周波数についての記載をデジタル放送テーブルに追加した後、ステップＳＰ１に戻って新たな選局を待ち受ける。
【００３２】
これに対して、ステップＳＰ１２において否定結果が得られた場合、このことは選局中の周波数がデジタル放送ではないことを表しており、このときＣＰＵ２はステップＳＰ１４に移り、例えば「この周波数はデジタル放送ではありません」といった、非デジタル放送である旨のメッセージを表示部７に表示した後ステップＳＰ１５に移り、ベースバンド復調部４に対しアナログ復調処理を行うように指示した後、ステップＳＰ１に戻って新たな選局を待ち受ける。
【００３３】
以上の構成において、ラジオ受信機１のＣＰＵ２は、最初に電源が投入された際バンドスキャンを行い、このとき受信できたデジタル放送の周波数及びその変調パラメータをデジタル放送テーブルに記録する。
【００３４】
そしてＣＰＵ２は、以降の放送受信時においてデジタル放送テーブルを参照し、選局された周波数がデジタル放送テーブルに記載されている場合、過去にデジタル放送として受信した実績があることからデジタル復調を行うとともに、正常にデジタル復調が行えているかをベースバンド復調部４に問い合わせ、正常にデジタル復調を行えている場合はこれを継続させるのに対し、正常にデジタル復調を行えていない場合はベースバンド復調部４に対してアナログ復調に変更するよう指示するとともに、デジタル放送テーブルからこの周波数の記載を削除する。
【００３５】
またＣＰＵ２は、選局された周波数がデジタル放送テーブルに記載されていない場合は、過去にデジタル放送として受信した実績がないことからアナログ復調を行うとともに、アナログ復調によって正常に音声が再生できているかをユーザに問い合わせ、さらにユーザによるデジタル切換ボタンの押下を待ち受ける。そしてＣＰＵ２は、アナログ復調によって正常に音声が再生できていることによりデジタル切換ボタンが押下されなかった場合はアナログ復調を継続するのに対し、正常に音声が再生できていないことに応じてデジタル切換ボタンが押下された場合は、デジタル復調に切り換えるとともに正常にデジタル復調が行えているかをベースバンド復調部４に問い合わせ、正常にデジタル復調を行えている場合はデジタル放送テーブルにこの周波数の記載を追加する。
【００３６】
このようにしてラジオ受信機１のＣＰＵ２は、過去にデジタル放送として受信した周波数を記録したデジタル放送テーブルに基づいて受信方式を選択することにより、選局してから音声が出力されるまで時間を最低限に短縮し得るとともに、デジタル復調の復調結果やユーザによる再生音声の判別に基づいて、当該デジタル放送テーブルを更新していくことにより、既知及び未知の放送に対して、適切な受信方式を選択して放送を受信することができる。
【００３７】
以上の構成によれば、デジタル放送テーブルに基づいて受信方式を選択することにより、選局してから音声が出力されるまで時間を最低限に短縮し得るとともに、デジタル復調の復調結果やユーザによる再生音声の判別に基づいてデジタル放送テーブルを最新の状態に更新していくことにより、適切な受信方式を選択して放送を受信することができる。
【００３８】
なお上述の実施の形態においては、アナログラジオ放送とデジタルラジオ放送の双方を受信し得るようになされたラジオ受信機１に本発明を適用した場合について述べたが、本発明はこれに限らず、アナログテレビ放送とデジタルテレビ放送の双方を受信し得るようになされたアナログ／デジタル両用のテレビジョン装置に本発明を適用することもできる。
【産業上の利用可能性】
【００３９】
本発明の受信装置及び受信方法は、同一周波数帯内にアナログ放送とデジタル放送とが混在しているアナログ／デジタル混在放送を受信する用途に適用することができる。
【図面の簡単な説明】
【００４０】
【図１】本発明のラジオ受信機の構成を示すブロック図である。
【図２】受信方式制御処理手順を示すフローチャートである。
【符号の説明】
【００４１】
１……ラジオ受信機、２……ＣＰＵ、３……ＲＦ復調部、４……ベースバンド復調部、６……メモリ、７……表示部、８……操作部、９……アンテナ、１０……スピ−カ。
【図１】
2006042048.tif 000003
【図２】
2006042048.tif 000004